(57)【特許請求の範囲】
【請求項１】
後方に袋状の漁網を取り付け、漁船によって曳航しつつ、複数の爪によって海底の貝類を掻き出し浮遊させ、前記漁網へ取り込む海底貝類の採取用八尺であって、
前記爪は、
八尺本体に固定したシリンダー部材と、
シリンダー部材の内部に配設したコイルバネと、
上下動可能にコイルバネに固定したホルダ部材と、
該ホルダ部材に着脱自在に固定した爪材とによって構成することを特徴とする海底貝類の採取用八尺。
【発明の詳細な説明】
【０００１】
【産業上の利用分野】
本発明は、漁船によって曳航し、海底に生息する天然ホタテ等を採取する八尺に係り、とくに貝類を掻き出すための爪の構造に関する。
【０００２】
【従来の背景】
商品価値の高いホタテは養殖の場合もあるが、稚貝を海に散布して成長を待ち海底からホタテを採取する場合がある。これを取得するため、漁船によって曳航し、掻き出し用の爪によって海底のホタテを浮遊させ、袋状の漁網にホタテその他の貝類（以下ホタテ）を採取する漁業器具（八尺）を用いる。
【０００３】
八尺は、古くから横幅が八尺あったところから命名されたと云われる。基本構造は同じであり、図４および図５に示すように、八尺本体１の後方に袋状の漁網２を設け、八尺本体１に配した爪３によって海底面を掻き、浮遊したホタテを漁網２に取り込む。矢印Aは、曳航する方向を示すものである。５は曳航ロープ、６は曳航による引っ張りに抗して角度を安定させる重量フレームである。
【０００４】
爪３は、後方に向かって上方に傾斜する重量フレーム７の後部に配される。図５において３−１および３−２はホタテを掻き出す爪である。爪３は、折曲および摩耗を防止するため若干太く成形した鋼材を用いる。
【０００５】
【従来の技術】
ところで、八尺は、曳航しながら海底を掻くと海底の岩石等によってバウンドし、その結果として爪３がホタテに傷を付ける。ホタテに限らず水産品は外から見たときの外観品質が取引価格を左右するし、傷ついたホタテは貝殻だけでなく貝身（貝柱）まで損傷を受けることも少なくないので、収穫したホタテの価値を高めるには、出来るだけ八尺の曳航時にホタテを傷つけないようにすることが望まれる。
【０００６】
そこで、八尺の重量負荷がかかる従来の爪を一種の安定材（スタピライザー）として用い、海底のホタテを実際に掻き出すための爪を別途に設け、この掻き出し用の爪を、細い金属線を用いたコイルバネによって構成する技術が提案されている（実用新案登録第３０５６７５３号）。これは図６に示すように、従来の太い爪３−２を残しながら、その前方にコイルバネ８によって下方に付勢した９を配するもので、海底に接地するのは付勢された爪９であり、八尺がバウンドしてもコイルバネ８を持つ爪９が下降時の衝撃を緩和し、ホタテに傷を付けないようにしてある。
【０００７】
図７は、実用新案登録第３０５６７５３号に係る爪６の構造を拡大して例示するものである。爪９を交換できるように、コイルバネ８の先端を折曲してホルダ１０に固定し、ホルダ１０を介して爪９を交換可能とする。１１は、爪９を着脱交換するためのビス、１２は、コイルバネ８の一端をホルダ１０に挿入させて固定する固定ビスである。爪９の交換時には、ビス１１を緩めて爪９を取り替え、その後に締め固定する。この発明では、従来からある太い爪３−２（親爪）は安定部材として機能し、海底に接地して台本体を支える。但し、岩石等の凹凸があれば爪３−２が当たって八尺をバウンドさせ、接地時の衝撃をコイルバネ８をもった爪９が緩和する。
【０００８】
【発明が解決しようとする課題】
コイルバネを用いた従来の八尺は、大きな重量負荷に起因するホタテの損傷を防ぐという点では効果がある。
【０００９】
しかし、八尺の重量が大きい一方で、コイルバネ８の線材が細いため実際の操業では、特に符号Ｚで示すホルダ１０の手前の部分で線材が折れ曲がったり破断することが少なくない。折れ曲がりが生ずると、爪９の方向が狂うため、爪９は本来の機能を営まない。またホルダ１０に固定する爪９の太さにも一定の限界があり、コイルバネ８の線材と略同一の太さの鋼材を用いるため、数日〜数回の操業で爪９が摩耗する場合があるという問題がある。尚、八尺の曳航時の速度は毎時２〜３ノットである。
【００１０】
この結果として、実際の操業では、コイルバネ８を備える爪９は頻繁な交換が必要となり、ランニングコストが嵩み、交換の手間が煩雑となるなどの問題を生じる。
【００１１】
そこで、本発明に係る八尺の目的は、爪の強度を弱めることなく、かつホタテに対する衝撃を十分に緩和することにある。
【００１２】
【課題を解決するための手段】
前記目的を達成するため、本発明に係る海底貝類の採取用八尺は、後方に袋状の漁網を取り付け、漁船によって曳航しつつ、複数の爪によって海底を掻き出し前記漁網へ貝類を取り込む海底貝類の採取用八尺であって、前記爪は、八尺本体に固定したシリンダー部材と、シリンダー部材の内部に配設したコイルバネと、上下動可能にコイルバネに固定したホルダ部材と、該ホルダ部材に着脱自在に固定した爪材（爪本体）とによって構成する。
【００１３】
【作用】
従来の、実用新案登録第３０５６７５３号に係る八尺は、短時間で頻繁にコイルバネ爪（９）を交換する必要がある。
【００１４】
これに対し、本発明に係る八尺は、任意の内径に設計できるシリンダーと、シリンダーの内径に見合ったコイルバネを用い、ホルダ部材の内径を自由に寸法設計可能とする。この結果、ホルダ部材は、従来通り太い鋼材を爪材として装填し固定することが出来る。
【００１５】
爪材は太い鋼材を使用できるため、岩石との衝突による折曲や破断の虞れ殆どなく、操業の安定を図ることが出来る。また太い鋼材を使用できるので、実用新案登録第３０５６７５３号に係る爪に較べて摩耗による爪の交換頻度を格段に低減できる。
【００１６】
【発明の実施の形態】
図１は、本発明に係る一実施形態を示すもので、八尺本体の後方にあるフレーム材２０に取付ブランケット２１を固定して設け、取付ブランケット２１を介して複数の爪材３０を配したものである。２２は取付ボルト、２３はナット、３１は爪材３０の上部に固着させた固定フランジである。尚、取付ブランケット２１をフレーム材２０に固定する方法は溶接、ネジ止め等、種類を問わない。
【００１７】
爪材３０は、図２にも示すように、固定フランジ３１に下端にシリンダー３２を固定し、このシリンダー内にコイルバネ３３を配し、コイルバネ３３の下端部に固定板３４を固定して、コイルバネ３３と一緒に上下動する固定板３４を介して爪本体３９を固定する。３５は、固定板３４に接続固定させたピストン材、３６は、ピストン材３５と爪本体３９とを連結させるホルダ部材である。爪本体３９は、適宜の固定金具、例えばボルト３７、ナット３８を用いてホルダ部材３６に着脱可能に固定する。爪本体３９の外径寸法は従来通りの太い鋼材を用いる。ホルダ部材３６の内径は、爪本体３９の外径に合わせて設計する。
【００１８】
固定板３４は、ピストン材３５を上下動させるための連結部材である。従って、ピストン材３５の上端部をコイルバネ３３の下端に直接固定するときは、必ずしも必要となる部材ではない。本発明ではコイルバネ３３により、爪本体３９が上下運動可能になれば良いから、ピストン材３５とホルダ部材３６の接続、ホルダ部材３６と爪本体３９の接続は適宜の方式（金具固定、溶接固定等）をとることが出来る。
【００１９】
ピストン材３５は、コイルバネ３３の上下動に伴ってシリンダー３２を摺動または遊動することが必要である。従ってピストン材３５の外径寸法Ｗ１は、シリンダー３２の内径寸法Ｗ２より僅かに小さく設計しておく。好ましくは、Ｗ２＝Ｗ１＋（０．５〜１ｍｍ）程度である。しかしながら、ピストン材３５とシリンダ−３２は海水中で激しい振動を受けるので、実用上は例えばＷ２＝Ｗ１＋（３〜５ｍｍ）程度の寸法上の余裕をもたせておくことが望ましい。
【００２０】
かかる構造によれば、強度のコイルバネ３３を用いて爪本体３９を上下動させることが出来、しかも爪本体３９の太さが制限されない。このため、従来通りの太い鋼材の爪（３９）を用いて八尺の爪を構成でき、岩石との衝突による衝撃によっても爪部分の破損や摩耗を最大限に防止できる。爪本体３９は、コイルバネ３３の働きによって弾力をもって上下動するから、ホタテの貝殻を傷つける可能性も確実に低減できる。
【００２１】
図３は、本発明の第二の実施形態を示すものである。これは、八尺の後端部を構成するフレーム材４０に、シリンダー４２を固定し、このシリンダー４２と爪本体４９を、軸部材５０を介して連結する。４６は、シリンダー４２の先端に設けたホルダ部材、６０は、軸部材５０の前方を上下方向に回動自由に支持する軸着部材である。軸着部材６０は、八尺を構成するフレーム材の任意箇所に設けておく。
【００２２】
軸部材５０は、爪本体４９を、軸着部材６０を回動中心として上下駆動する。軸部材５０は水平配置しても良いが、好ましくは後方に向かって下降傾斜させておき、軸着部材６０を中とする大きな円弧運動を実現し、コイルバネ（３３）にかかる加重負荷を軽減できるようにしておくことが望ましい。
【００２３】
また軸部材５０を下降傾斜させると、爪本体４９の位置を適宜移動させることにより、爪本体４９の長さに応じて、最も好ましい位置に爪本体４９を位置させることが可能となる。特に操業により爪本体４９が短くなったとき、その位置を後方に移動させて海底面に確実に接地させることを可能とする点で効果がある。このため軸部材５０には、爪本体４９の位置決めを可能とする複数のボルト孔を設けておくことが望ましい。
【００２４】
尚、矢印Ｘは曳航方向を示すものである。また符号５５は、爪本体４９を固定する金具である。尚、前記の実施形態と同一の部分は同一符号を附して重複する説明を省略する。フレーム材４０は、八尺の前後方向に配した鋼材を使用する。
【００２５】
かかる構造によれば、軸部材５０を介して爪本体４９を上下駆動できるので、ホタテの掻き出し効率を高めることが出来る。爪本体を直接駆動する場合に較べて、コイルバネ（３３）をより柔らかく設定でき、ホタテの損傷確率も確実に低減できる。また爪本体４９の位置を変えることにより、長さに応じて爪の接地の確実を図ることが出来る。
【００２６】
また軸部材５０の前後方向の長さを長短二種類（またはそれ以上）組み合わせれば、前後に二段（またはそれ以上）の爪の列を作ることが出来る。
【００２７】
【発明の効果】
以上説明したように本発明に係る八尺によれば、ホタテに対する衝撃を緩和して損傷を確実に防止し、また爪の強度を従来通り強く保つことが出来る。
【図面の簡単な説明】
【図１】  本発明に係る八尺に配する爪材の構造を例示する図である。
【図２】本発明に係る爪の構造を具体的に例示する部分断面図である。
【図３】本発明に係る爪材の他の構造を例示する図である。
【図４】従来の八尺の一般構造を示す平面図である。
【図５】従来の八尺の一般構造を示す側面図である。
【図６】従来提案されている衝撃緩和の爪材をもつ八尺を例示する図である。
【図７】従来提案されている爪材の具体的構造を例示する図である。
【符号の説明】
２０、４０  フレーム材
２１  取付ブランケット
２２  取付ボルト
２３  ナット
３０  爪材
３１  固定フランジ
３２、４２  シリンダー
３３  コイルバネ
３４  固定板
３９、４９  爪本体
３５  ピストン材
３６、４６  ホルダ部材
３７  ボルト
３８  ナット
５０  軸部材
６０  軸着部材
【図１】
0003786560.tif 000002
【図２】
0003786560.tif 000003
【図３】
0003786560.tif 000004
【図４】
0003786560.tif 000005
【図５】
0003786560.tif 000006
【図６】
0003786560.tif 000007
【図７】
0003786560.tif 000008